(57)【要約】【課題】保留球乱数の中に大当たりがある場合に余分な遊技球の貸し出しを防止できるパチンコ機を提供する。【解決手段】遊技球貸出機と電気的に接続された本発明のパチンコ機は、保留球乱数が大当たりであるか否かを先に判定する先読み当否判定手段（１５０）と、この先読み当否判定手段による判定結果を記憶する先読みコマンド記憶部（８０）と、貸出ボタン（７１）の１回の操作で貸し出される遊技球の個数を、通常の貸し出し個数か、それよりも少ない貸し出し個数かの何れかに決定する貸出単位決定手段（８１）と、この貸出単位決定手段の決定に基づいて生成された遊技球の貸出要求コマンドを外部に送信する貸出要求コマンド送信手段（８２）と、を備えている。そして、保留球乱数の中に大当たりがある場合に貸出ボタンが操作されたときに、その１回の操作で貸し出される個数として少ない方が選択される。【選択図】図５
2011055957.tif 000002
【特許請求の範囲】
【請求項１】
遊技球を貸し出す遊技球貸出機と電気的に接続され、この遊技球貸出機と隣接して配置されるパチンコ機であって、遊技球が流下する遊技領域を有する遊技盤と、前記遊技領域に設けられた始動口と、この始動口に遊技球が入賞したことを契機に取得した乱数に基づいて電子抽選を行う電子抽選手段と、この取得した乱数を所定個数の上限まで保留球乱数として順次記憶する保留球乱数記憶部と、前記電子抽選手段による抽選結果が大当たりである場合に通常の遊技に比べて遊技者に有利な大当たり遊技を提供する大当たり遊技提供手段と、遊技者の操作により前記遊技球貸出機に対して遊技球の貸し出しを要求する貸出ボタンと、を備えたパチンコ機において、
前記保留球乱数記憶部に記憶されている保留球乱数が大当たりであるか否かを、当該保留球乱数に基づく遊技が開始されるよりも前に判定する先読み当否判定手段と、
この先読み当否判定手段による判定結果を前記保留球乱数に基づく遊技が開始されるまで記憶する先読みコマンド記憶部と、
前記貸出ボタンの１回の操作で貸し出される遊技球の個数を、通常の貸し出し個数である規定貸出単位数と、この規定貸出単位数より貸し出し個数の少ない特別貸出単位数の何れかに決定する貸出単位決定手段と、
この貸出単位決定手段の決定に基づいて生成された遊技球の貸出要求コマンドを前記遊技球貸出機に対して送信する貸出要求コマンド送信手段と、
を備え、
前記貸出ボタンが操作されたときに、前記先読みコマンド記憶部に前記先読み当否判定手段による大当たりの判定結果が記憶されている場合には、前記貸出単位決定手段は、前記貸出ボタンの１回の操作で貸し出される遊技球の個数を前記特別貸出単位数に決定する
ことを特徴とするパチンコ機。
【請求項２】
請求項１の記載において、前記特別貸出単位数は、互いに貸し出し個数の異なる複数の保留順特別貸出単位数からなり、前記貸出単位決定手段は、前記貸出ボタンが操作されたときに、前記先読みコマンド記憶部に記憶されている大当たりの判定結果に係る保留球乱数が前記保留球乱数記憶部の何番目に記憶されているものであるかに応じて前記複数の保留順特別貸出単位数の中から１つの保留順特別貸出単位数を決定することを特徴とするパチンコ機。
【発明の詳細な説明】
【技術分野】
【０００１】
本発明は、遊技球を用いて遊技を行うパチンコ機に関する。
【背景技術】
【０００２】
一般に、パチンコ機には、遊技盤内の遊技領域に特別図柄を表示する特別図柄表示装置、所定の演出を表示する演出表示装置、特別図柄に係る電子抽選の契機となる特定入賞口（始動口）などが設けられており、遊技領域に向けて発射された遊技球が、この特定入賞口に入賞すると特別図柄に係る電子抽選が行われると共に、特別図柄表示装置において特別図柄を変動させた後に停止させるといった態様の表示を行って電子抽選の結果を報知している。そして、電子抽選の結果大当たりであった場合には、特別図柄表示装置に大当たりであることを示す特別図柄が停止表示されると共に、遊技者にとって有利な大当たり遊技状態に移行する。この大当たり遊技状態では、アタッカー装置が所定回数だけ開閉して露呈された大入賞口に遊技球が入るので、遊技者は多くの賞球を獲得することができる。
【０００３】
また、特別図柄の変動中に遊技球が特定入賞口に入賞した場合には、所定個数（例えば４個）を上限として当該入賞を契機に取得した乱数を保留球乱数として保留球乱数記憶部（メモリ）に記憶する。現在行われている遊技に係る特別図柄の変動が停止して電子抽選の結果が確定すると、保留球乱数記憶部に記憶した保留球乱数を順次読み出して、当該保留球乱数の当たり判定を行い、その結果を特別図柄の変動および停止により表示して当該保留球乱数に基づく遊技が進められる。
【０００４】
この特別図柄を変動させた後に停止させるまでの間には、通常様々な演出態様の表示（演出図柄やダミー図柄と称する演出用の図柄を用いた変動表示など）がなされており、これらの演出態様の表示に一喜一憂しながら遊技者は遊技を楽しむのであるが、同じ演出表示を何度も見ていると次第に面白みが失われてくるため、近年はさらに工夫を凝らした演出態様が考案されている。より具体的に言うと、特別図柄の変動中の演出というのは、現在行われている遊技そのものに関するものであったが、その遊技が行われている間に保留球乱数記憶部に記憶された保留球乱数が大当たりとハズレの何れであるかを示唆する情報を先行して予告報知（所謂、先読み演出）するといった演出が行われるようになっている。
【０００５】
ところで、遊技を行うためには、パチンコ機に隣接して配置された遊技球貸出機に紙幣やＩＣカード等を挿入して遊技球（パチンコ玉）を借りなければならない。この遊技球貸出機は、通常、１回の貸出ボタンの操作で規定の遊技球を貸し出すようになっている。例えば、貸出ボタンを１回押すと、硬貨５００円分に相当する遊技球が１２５球（１球当たり４円）だけ貸し出されるようになっている。つまり、遊技球の貸出個数は予め定めた規定個数に固定されているのが一般的である。
【０００６】
これに対して、特許文献１に示すように遊技者が貸し出しレートを選択できるようにした遊技媒体貸し出し装置（遊技球貸出機）が考案されている。この装置によれば、遊技者が遊技媒体貸し出し装置に設けられた貸し出しレート選択部から所望の貸し出しレートを選択し、パチンコ台に設けられた貸玉ボタン（貸出ボタン）を押すことで、遊技者の望む貸し出しレートでパチンコ玉を借り受けることができる。
【先行技術文献】
【特許文献】
【０００７】
【特許文献１】特開平１１−２３９６６５号公報（段落００５４〜段落００６４など）
【発明の概要】
【発明が解決しようとする課題】
【０００８】
しかしながら、上記従来の技術では、貸し出しレートの変更は遊技者の意思で行えるものの、貸玉ボタンを押すと所定金額（５００円）分のパチンコ玉が貸し出されるため、例えば大当たりになったときなどに少量のパチンコ玉を借りたいと思っても、遊技者は、所定金額分のパチンコ玉を余分に借りるしかなかった。
【０００９】
本発明は、上記した実情に鑑みてなされたものであり、その目的は、少なくとも大当たりの可能性がある場合には余分な遊技球の貸し出しを防止できるパチンコ機を提供することにある。
【課題を解決するための手段】
【００１０】
上記目的を達成するため、本発明は、遊技球を貸し出す遊技球貸出機と電気的に接続され、この遊技球貸出機と隣接して配置されるパチンコ機であって、遊技球が流下する遊技領域を有する遊技盤と、前記遊技領域に設けられた始動口と、この始動口に遊技球が入賞したことを契機に取得した乱数に基づいて電子抽選を行う電子抽選手段と、この取得した乱数を所定個数の上限まで保留球乱数として順次記憶する保留球乱数記憶部と、前記電子抽選手段による抽選結果が大当たりである場合に通常の遊技に比べて遊技者に有利な大当たり遊技を提供する大当たり遊技提供手段と、遊技者の操作により前記遊技球貸出機に対して遊技球の貸し出しを要求する貸出ボタンと、を備えたパチンコ機において、前記保留球乱数記憶部に記憶されている保留球乱数が大当たりであるか否かを、当該保留球乱数に基づく遊技が開始されるよりも前に（例えば、保留球乱数として保留球乱数記憶部に記憶された時点で）判定する先読み当否判定手段と、この先読み当否判定手段による判定結果を前記保留球乱数に基づく遊技が開始されるまで記憶する先読みコマンド記憶部と、前記貸出ボタンの１回の操作で貸し出される遊技球の個数を、通常の貸し出し個数である規定貸出単位数と、この規定貸出単位数より貸し出し個数の少ない特別貸出単位数の何れかに決定する貸出単位決定手段と、この貸出単位決定手段の決定に基づいて生成された遊技球の貸出要求コマンドを前記遊技球貸出機に対して送信する貸出要求コマンド送信手段と、を備え、前記貸出ボタンが操作されたときに、前記先読みコマンド記憶部に前記先読み当否判定手段による大当たりの判定結果が記憶されている場合には、前記貸出単位決定手段は、前記貸出ボタンの１回の操作で貸し出される遊技球の個数を前記特別貸出単位数に決定する構成とした。
【００１１】
この構成によれば、保留球乱数の中に大当たりがある場合には、貸出ボタンを１回操作したときに貸し出される遊技球の個数が、通常の貸し出し個数である規定貸出単位数よりも少ない個数である特別貸出単位数に決定されるので、余分な遊技球の貸し出しを防止できる。加えて、この構成によれば、貸し出された遊技球の個数が少ない場合には、保留球乱数の中に大当たりがあるということが分かるので、大当たりの報知としての機能も発揮することとなる。
【００１２】
また、上記構成において、前記特別貸出単位数は、互いに貸し出し個数の異なる複数の保留順特別貸出単位数からなり、前記貸出単位決定手段は、前記貸出ボタンが操作されたときに、前記先読みコマンド記憶部に記憶されている大当たりの判定結果に係る保留球乱数が前記保留球乱数記憶部の何番目に記憶されているものであるかに応じて前記複数の保留順特別貸出単位数の中から１つの保留順特別貸出単位数を決定するようにするのが好ましい。
【００１３】
この構成によれば、大当たりの判定結果に係る保留球乱数が保留球乱数記憶部の何番目に記憶されているものであるかに応じて保留順特別貸出単位数を決定するようにしているので、貸出ボタンを１回操作して貸し出された遊技球の個数を見ると、遊技者は、何番目の保留球乱数が大当たりであるかが分かるため、保留球乱数の大当たりに関する報知の正確度が高まる利点がある。
【００１４】
また、上記構成において、前記貸出要求コマンドが入力された前記遊技球貸出機から送信された遊技球の貸出指令コマンドに基づいて遊技球を払い出す遊技球払出装置を備えるようにするのが好ましい。この構成によれば、パチンコ機が遊技球払出装置を備えているので、遊技球貸出機は入力された貸出要求コマンドを貸出指令コマンドとして出力するだけで良くなる。よって、この構成を備えたパチンコ機は、既に遊技場（ホール）に設置されている、遊技球を払出す装置が内蔵されていないタイプの遊技球貸出機とでも簡単に組み合わせて使用できる利点がある。
【００１５】
また、別の発明は、遊技球が流下する遊技領域を有する遊技盤と、前記遊技領域に設けられた始動口と、この始動口に遊技球が入賞したことを契機に取得した乱数に基づいて電子抽選を行う電子抽選手段と、この取得した乱数を所定個数の上限まで保留球乱数として順次記憶する保留球乱数記憶部と、前記電子抽選手段による抽選結果が大当たりである場合に通常の遊技に比べて遊技者に有利な大当たり遊技を提供する大当たり遊技提供手段と、前記保留球乱数記憶部に記憶されている保留球乱数が大当たりであるか否かを、当該保留球乱数に基づく遊技が開始されるよりも前に（例えば、保留球乱数として保留球乱数記憶部に記憶された時点で）判定する先読み当否判定手段と、遊技者の操作により遊技球の貸し出しを要求する貸出ボタンと、この貸出ボタンの操作に起因して外部から入力された遊技球の貸出指令コマンドに基づいて遊技球を払い出す遊技球払出装置と、を備えたパチンコ機に電気的接続されると共に、このパチンコ機に隣接配置されて遊技球を貸し出す遊技球貸出機において、前記貸出ボタンの操作信号の入力に基づいて、この操作信号１回につき貸し出す遊技球の個数を、通常の貸し出し個数である規定貸出単位数と、この規定貸出単位数より貸し出し個数の少ない特別貸出単位数の何れかに決定する貸出単位決定手段と、この貸出単位決定手段の決定に基づいて生成された前記貸出指令コマンドを前記パチンコ機に対して送信する貸出指令コマンド送信手段と、前記パチンコ機から送られてきた前記先読み当否判定手段による判定結果のコマンドを前記保留球乱数に基づく遊技の開始のコマンドが入力されるときまで記憶する先読みコマンド記憶部と、を備え、前記貸出ボタンの操作信号の入力があったときに、前記先読みコマンド記憶部に前記先読み当否判定手段による大当たりの判定結果のコマンドが記憶されている場合には、前記貸出単位決定手段は、前記貸出ボタンの１回の操作信号の入力に基づいて貸し出す遊技球の個数を前記特別貸出単位数に決定する構成としている。
【００１６】
このように構成された遊技球貸出機によれば、パチンコ機の保留球乱数記憶部に記憶されている保留球乱数の中に大当たりがある場合に貸出ボタンが操作されると、遊技球貸出機からパチンコ機に対して送信される貸出指令コマンドは、通常の貸し出し個数である規定貸出単位数よりも少ない貸し出し個数である特別貸出単位数に基づいて生成されたコマンドなので、保留球乱数に大当たりがあるにも拘わらず余分な遊技球の貸し出しを防止できる。しかも、この構成によれば、遊技者が貸出ボタンを操作したときに、パチンコ機の遊技球払出装置から払い出される遊技球の個数を見て通常よりも少なければ、保留球乱数の中に大当たりがあることが分かるので、大当たりの報知としての機能も発揮することとなる。
【００１７】
また、上記した遊技球貸出機の構成において、前記特別貸出単位数は、互いに貸し出し個数の異なる複数の保留順特別貸出単位数からなり、前記貸出単位決定手段は、前記貸出ボタンの操作信号の入力があったときに、前記先読みコマンド記憶部に記憶されている大当たりの判定結果のコマンドが前記保留球乱数記憶部の何番目に記憶されている保留球乱数に係るコマンドであるか応じて前記複数の保留順特別貸出単位数の中から１つの保留順特別貸出単位数を決定するようにしても良い。
【００１８】
この構成によれば、大当たりの判定結果に係る保留球乱数が保留球乱数記憶部の何番目に記憶されているものであるかに応じて保留順特別貸出単位数を決定するようにしているので、貸出ボタンを１回操作して貸し出された遊技球の個数を見ると、遊技者は、何番目の保留球乱数が大当たりであるかが分かるため、保留球乱数の大当たりに関する報知の正確度が高まる利点がある。
【発明の効果】
【００１９】
本発明によれば、保留球乱数の中に大当たりがある場合に、余分な遊技球の貸し出しを防止することができる。
【図面の簡単な説明】
【００２０】
【図１】本発明の実施の形態例に係るパチンコ機と、そのパチンコ機に隣接する遊技球貸出機の外観斜視図である。
【図２】図１に示すパチンコ機のガラス扉を開けた状態の外観斜視図である。
【図３】図１に示すパチンコ機の背面図である。
【図４】図１に示すパチンコ機の電気的構成を示すブロック図である。
【図５】図４に示す賞球払出／遊技球貸出に関する装置の詳細を説明するためのブロック図である。
【図６】図１に示すパチンコ機の遊技球貸し出し処理の手順を示したフローチャートである。
【図７】図４に示す賞球払出／遊技球貸出に関する装置の別の態様を説明するためのブロック図である。
【図８】図７に示す遊技球貸出機の遊技球貸し出し処理の手順を示したフローチャートである。
【発明を実施するための形態】
【００２１】
以下、発明の実施の形態例を図面を参照して説明する。図１及び図２に示すように、本発明の実施の形態例に係るパチンコ機Ｐは、遊技場の島設備に設置される縦長方形状の機枠１と、機枠１に扉状に開閉自在に取り付けられた前面枠２と、前面枠２の内側に収容された遊技盤３と、前面枠２の前面に扉状に開閉自在に取り付けられ、中央に大きく開口部８が形成されたガラス扉４と、このガラス扉４の開口部８に取り付けられた透明なガラス板１０と、前面枠２の下側に開閉自在に配設され、遊技球を収容する受皿５を有する前面ボード６と、前面枠２の下部に設けられた発射装置９と、前面ボード６に取り付けられたハンドル７等を具備している。さらに、ガラス扉４の上部にはスピーカ２０が左右に１個ずつ取り付けられており、遊技に関する様々な効果音を発している。
【００２２】
このパチンコ機Ｐには、遊技球の貸し出しを行うためのＣＲユニット（遊技球貸出機）３００が隣接して配置されている。このＣＲユニット３００は、正面に、ＩＣカードを挿入するためのカード挿入口３１０と、各種の表示を行う表示部３２０とが設けられている。このＣＲユニット３００は、カード挿入口３１０にＩＣカードを挿入した状態でパチンコ機Ｐに設けられた貸出ボタン７１（後述）を押下すると遊技球の貸し出しが行われ、返却ボタン７２（後述）を押下すると、ＩＣカードが返却されるようになっている。
【００２３】
また、図３に示すように、このパチンコ機Ｐは、背面側に、主制御処理部１１と、副制御処理部を構成する演出制御処理部１２ａ、特別図柄表示制御部１２ｂ、ランプ制御処理部１２ｃ、払出制御処理部１２ｅ、および普通図柄表示制御部１２ｆと、発射制御処理部１３と、賞球払出装置（遊技球払出装置）１４等を備えている。続いて、図１〜図４を参照して、本実施形態に係るパチンコ機Ｐの構成を詳しく説明していくことにする。
【００２４】
遊技盤３は、その盤面に遊技領域３１を有しており、前面枠２に装着した後、ガラス板１０から遊技領域３１を観察することができる。遊技領域３１は、遊技球を滑走させるガイドレール３２と遊技球規制レール３３によって略円形状となるように区画形成されており、発射装置９によって打ち出された遊技球はこの遊技領域３１内を流下する。また、遊技領域３１内には、特別図柄表示装置１７と、演出表示装置３４と、スルーチャッカ２１と、普通図柄表示装置２２と、電動チューリップ４９と、ステージ３６と、始動入賞口（始動口）３７と、一般入賞口３８と、アウト口３９と、遊技釘（図示せず）と、風車（図示せず）と、アタッカー装置４１等が設けられている。
【００２５】
演出表示装置３４は、遊技盤３の略中央部に設けられ、始動入賞口３７に遊技球が入賞することを契機に行われた特別図柄に係る電子抽選の結果に基づいて所定の演出態様を表示するものであって、本実施形態では液晶表示装置が用いられている。この演出表示装置３４には、所定の演出態様の一部として、特別図柄表示装置１７に変動表示される特別図柄と同期をとってダミー図柄（演出図柄）が変動表示されるようになっている。なお、この演出表示装置３４には、保留球乱数が保留球乱数記憶部（メモリ）１１５に記憶された場合に保留表示（保留球乱数が記憶された旨の表示）を行うための表示領域が区画形成されている。つまり、この表示領域の部分が保留球表示装置３４ａとなっているのである。
【００２６】
また、特別図柄表示装置１７は、始動入賞口３７に遊技球が入賞することを契機に行われた特別図柄に係る電子抽選の結果を表示するためのものであって、より具体的には、抽選結果を、特別図柄（数字や絵柄）を変動させた後に停止させるといった態様で表示するものである。この特別図柄表示装置１７は、本実施形態では７セグメント表示器が用いられており、演出表示装置３４を見ている遊技者の視界に同時に入らないように遊技盤３の右下部分に離れて設けられている。
【００２７】
スルーチャッカ２１は、遊技球が通過可能なゲート構造を成しており、その内部には遊技球が通過したことを検知する磁気センサタイプのスルーチャッカ検知センサ４６が内蔵されている。また、このスルーチャッカ２１を遊技球が通過したことを契機に行われる普通図柄に係る電子抽選の結果を表示するための普通図柄表示装置２２が、特別図柄表示装置１７の隣に設けられている。この普通図柄表示装置２２は、本実施形態では、二つのＬＥＤランプで構成されており、普通図柄当たりのときに一方のＬＥＤランプが点灯し、ハズレのときには他方のＬＥＤランプが点灯するようになっている。
【００２８】
電動チューリップ４９は、始動入賞口３７の入口に設けられ、遊技盤３の面に直交する軸を中心に回動する一対の羽根部材を備えており、ソレノイドに通電がなされると一対の羽根部材が互いに離れる方向に回動して、始動入賞口３７の入口を拡大するようになっている。ステージ３６は、演出表示装置３４の下方に配置されており、遊技球が転動しながら一時的に滞在する構造物である。このステージ３６の中央には溝が形成されており、この溝の真下の位置には始動入賞口３７が配されている。そのため、溝から落下した遊技球は、高い確率で始動入賞口３７へと導かれる。
【００２９】
アタッカー装置４１は、始動入賞口３７に遊技球が入賞することを契機に行われる特別図柄に係る電子抽選の結果、大当たりとなって大当たり遊技に移行した場合に所定回数開放される装置である。このアタッカー装置４１が開放すると、大入賞口４２が露呈し、そこに遊技球が入賞することで多くの賞球が獲得できるようになっている。また、一般入賞口３８に遊技球が入賞すると、所定個数の遊技球が賞球として遊技者に払い出される。そして、始動入賞口３７や一般入賞口３８に入らなかった遊技球は、アウト口３９から回収される。なお、始動入賞口３７、一般入賞口３８、大入賞口４２の内部にはそれぞれ遊技球の通過を検知するためのセンサ４３〜４５（図４参照）が設けられている。
【００３０】
前面ボード６には遊技球を収容するとともに、外部に排出可能な受皿５が取り付けられている。この受皿５は、遊技者が投入した遊技球を収容するだけでなく、賞球払出装置１４から賞球として払い出された遊技球も収容可能となっている。また、遊技球を遊技領域３１に向けて発射するための発射装置９が前面枠２の下部に取り付けられており、受皿５に収容されている遊技球がこの発射装置９に１個ずつ供給される。そして、前面ボード６の右下に取り付けられたハンドル７を回動させると、その回動量に応じた発射強度で発射装置９が遊技球を遊技領域３１へと発射することができるようになっている。また、図１に示すように、受皿５の側部には、遊技者が押下操作するタッチボタン６０が設けられているほか、遊技球の貸し出しを行うための貸出ボタン７１と、ＣＲユニット３００に挿入したＩＣカードを返却させるための返却ボタン７２が設けられている。
【００３１】
主制御処理部１１は、遊技盤３の裏面に支持部材等を介して設けられている。この主制御装置１１は、ＣＰＵ（Central Processing Unit）と、予め定められた制御プログラムを格納するＲＯＭ（Read Only Memory）と、生成された処理情報の一時記憶及び記憶した情報の削除を行うＲＡＭ（Random Access Memory）等とにより構成されている。このＣＰＵがＲＯＭに格納された各種プログラムやデータを読み込んで実行することにより、遊技に関する主要な処理が行われる。
【００３２】
具体的には、図４に示すように、始動入賞口３７に遊技球が入賞したことを契機に特別図柄に係る電子抽選を行う特別図柄抽選部（電子抽選手段）１１０と、この特別図柄抽選部１１０が判定した抽選結果に応じて特別図柄を決定する特別図柄決定部１２０と、変動パターンコマンドを決定するための変動パターンコマンド決定部１４０と、保留球乱数記憶部１１５に記憶されている保留球乱数が大当たりであるか否かを、当該保留球乱数に基づく遊技が開始されるよりも前に判定する先読み当否判定部（先読み当否判定手段）１５０と、特別図柄抽選部１１０による抽選結果の判定が大当たりとなった場合にアタッカー装置４１（のソレノイド）を作動させて大当たり遊技に移行する大当たり遊技制御部（大当たり遊技制御手段）１６０と、スルーチャッカ２１を遊技球が通過したことを契機に普通図柄に係る電子抽選を行う普通図柄抽選部１７０と、電動チューリップ４９の作動を制御する電動チューリップ作動制御部１８０とを備えて主制御処理部１１は構成されている。
【００３３】
特別図柄抽選部１１０は、周期的（例えば２ミリ秒毎）に入力される割り込み信号に基づいてループカウンタの値を所定の範囲で１ずつ更新させることによりソフトウェア乱数を生成する特別図柄用乱数発生部（特別図柄用乱数発生手段）１１１と、始動入賞口３７に遊技球が入賞したことを契機に（始動入賞口検知センサ４３からの検知信号が主制御処理部１１に入力されたタイミングで）乱数を１つ取得（ラッチ）する特別図柄用乱数取得部（特別図柄用乱数取得手段）１１２と、この特別図柄用乱数取得部１１２が取得した乱数が大当たりであるか否かを特別図柄判定テーブル１１４を参照して決定する特別図柄当否判定部（特別図柄当否判定手段）１１３と、特別図柄用乱数取得部１１２が乱数を取得したときに特別図柄が変動中である場合に、この取得した乱数を保留球乱数として最大４個まで（別言すれば、所定個数である４個の上限まで）記憶する保留球乱数記憶部１１５と、を備えている。
【００３４】
変動パターンコマンド決定部１４０は、演出態様を決定するためのコマンドである変動パターンコマンドの決定に用いられる変動パターン用乱数の抽選処理を行う変動パターン用乱数抽選部１３０と、変動パターン用乱数と変動パターンコマンドのパターンＮｏ．（遊技コマンド）とが対応づけられたテーブルが複数記憶されたコマンド参照テーブル１３５と、を備えている。この変動パターン用乱数抽選部１３０は、周期的（例えば２ミリ秒毎）に入力される割り込み信号に基づいてループカウンタの値を所定の範囲（０〜６３まで）で１ずつ更新させることによりソフトウェア乱数を生成する変動パターン用乱数発生部と、始動入賞口３７に遊技球が入賞したことに基づいて（始動入賞口検知センサ４３からの検知信号が主制御処理部１１に入力されたタイミングで）乱数を１つ取得（ラッチ）する変動パターン用乱数取得部と、この変動パターン用乱数取得部が取得した乱数を記憶する変動パターン用乱数記憶部と、を備えている。
【００３５】
また、コマンド参照テーブル１３５は、取得した特別図柄用乱数が大当たり乱数である場合に参照される大当たり時参照テーブルと、ハズレの場合に参照されるハズレ時参照テーブルとを有しており、これらのテーブルを参照して、変動パターンコマンド決定部１４０は、変動パターンＮｏ．を決定している。
【００３６】
より具体的に説明すると、大当たり時参照テーブルには、遊技コマンドである変動パターンＮｏ．１〜６４までが割り当てられ、ハズレ用時参照テーブルには遊技コマンドである変動パターンＮｏ．６５〜１２７までが割り当てられている。そして、特別図柄用乱数取得部１１２が取得した乱数が大当たり乱数である場合には、変動パターンコマンド決定部１４０は変動パターンＮｏ．１〜６４の中から変動パターン用乱数に基づいて１つのパターンを選択して、そのパターンを変動パターンコマンドとして演出制御処理部１２ａに送信している。このコマンドを受けて、演出制御処理部１２ａは、今回行う遊技における演出態様を決定することとなる。
【００３７】
同様に、ハズレの場合には、変動パターンコマンド決定部１４０は、変動パターンＮｏ．６５〜１２７の中から変動パターン用乱数に基づいて１つのパターンを選択して演出制御処理部１２ａにそのコマンドを送信している。このコマンドを受けて、演出制御処理部１２ａが演出態様の決定を行っている。なお、変動パターンＮｏ．１〜６４までは、変動パターンＮｏ．６５〜１２７に比べて全体的に特別図柄の変動時間が長い変動パターンコマンドとなっており、変動時間が長い演出態様が表示されると、遊技者は大当たりの可能性が高いのではないかと予測することができるようになっている。
【００３８】
先読み当否判定部１５０は、保留球乱数記憶部１１５に記憶された保留球乱数が大当たりであるか否かを、保留球乱数として記憶された時点で特別図柄判定テーブル１１４を参照して行うものである。なお、この先読み当否判定部１５０による判定結果のコマンド、即ち、大当たりコマンドまたはハズレコマンドは、直ちに賞球払出／遊技球貸出に関する装置Ｕへ送信されて所定の処理が行われることとなるが、この点についての詳しい説明は後述することとする。
【００３９】
大当たり遊技制御部１６０は、大当たりの種類に応じて所定のラウンド数だけアタッカー装置４１の開閉を行うように制御している。また、普通図柄抽選部１７０は、特別図柄用乱数発生手段１１１が発生させる乱数の数より少ないが同様の構成からなる普通図柄用乱数発生部と、スルーチャッカ２１を遊技球が通過したことを契機に（スルーチャッカ検知センサ４６からの検知信号が主制御処理部１１に入力されたタイミングで）乱数を１つ取得（ラッチ）する普通図柄用乱数取得部と、この普通図柄用乱数取得部が取得した乱数が普通図柄当たりであるか否かを普通図柄判定テーブルを参照して決定する普通図柄当否判定部と、普通図柄用乱数取得部が乱数を取得したときに普通図柄が変動中である場合に、この取得した乱数を普通図柄用保留球乱数として記憶する普通図柄用保留球乱数記憶部と、を備えている。また、電動チューリップ作動制御部１８０は、普通図柄抽選部１７０による電子抽選で普通図柄当たりに当選したコマンドに基づいて、電動チューリップ４９のソレノイドに通電して開閉するよう制御している。
【００４０】
続いて、主制御処理部１１からの指令（コマンド）を受けて各種装置を制御する副制御処理部について説明する。副制御処理部を構成する演出制御処理部１２ａ、特別図柄表示制御部１２ｂ、ランプ制御処理部１２ｃ、払出制御処理部１２ｅ、および普通図柄表示制御部１２ｆは、遊技盤３の裏面に支持部材等を介して設けられ、主制御処理部１１が生成した処理情報に従って、演出表示装置３４やスピーカ２０、その他の演出装置（ＬＥＤ装置など）などの制御を行う装置である。
【００４１】
演出制御処理部１２ａは、処理部として、演出態様を決定するための演出態様決定部と、この演出態様決定部が決定した演出態様を演出表示装置３４に表示するよう制御する演出表示制御部と、を備えており、記憶部として、複数種類の演出態様が変動パターンコマンドと対応づけられて記憶された演出態様記憶部を備えている。
【００４２】
特別図柄表示制御部１２ｂは、主制御処理部１１の特別図柄決定部１２０が決定した特別図柄のコマンドと、変動パターンコマンド決定部１４０が決定した変動パターンコマンドに基づき、特別図柄表示装置１７に特別図柄を所定の時間だけ変動させた後に停止させる態様で特別図柄決定部１２０が決定した特別図柄を表示する。一方、普通図柄表示制御部１２ｆは、普通図柄抽選部１７０による普通図柄に係る抽選結果のコマンドを受け、そのコマンドに基づいて普通図柄表示装置２２に普通図柄を変動させた後に停止させる態様で表示するよう制御している。なお、普通図柄表示制御部１２ｆは、上記した特別図柄表示制御部１２ｂによる表示制御と比べて表示する図柄の対象が相違するものの、表示制御の基本構成はほぼ同じである。また、ランプ制御処理部１２ｃは、主制御処理部１１からコマンドを受けて各種ランプや電飾の点灯制御を行うものである。
【００４３】
次に、賞球払出／遊技球貸出に関する装置Ｕについて、図５を参照しながら詳細に説明する。まず、払出制御処理部１２ｅは、先読み当否判定部１５０による判定結果を保留球乱数に基づく遊技が開始されるまで記憶する先読みコマンド記憶部８０と、貸出ボタン７１の１回の操作で貸し出される遊技球の個数を、通常の貸し出し個数である規定貸出単位数と、この規定貸出単位数より貸し出し個数の少ない特別貸出単位数の何れかに決定する貸出単位決定部（貸出単位決定手段）８１と、この貸出単位決定部８１の決定に基づいて生成された遊技球の貸出要求コマンドをＣＲユニット３００に対して送信する貸出要求コマンド送信部（貸出要求コマンド送信手段）８２と、賞球払出装置１４の作動を制御する賞球払出装置制御部８３と、を備えて構成されている。
【００４４】
先読みコマンド記憶部８０は、先読み当否判定部１５０が保留球乱数に対して行った大当たり判定の結果のコマンド（大当たりコマンドまたはハズレコマンド）が入力されると、そのコマンドを保留球乱数に基づく遊技が開始するまで記憶する。
【００４５】
貸出単位決定部８１は、１回の貸出ボタン７１の操作で貸し出す遊技球の個数を１００円、２００円、３００円、４００円、５００円の中から決定するためのものである。ここで、本実施形態においては、遊技球１個が４円で貸し出されるように設定されているため、１００円だと２５個、２００円だと５０個、３００円だと７５個、４００円だと１００個、５００円だと１２５個を１単位として貸し出しされることになる。そして、本実施形態では、通常は、１回の貸出ボタン７１の操作で５００円の遊技球（即ち、１２５個）が貸し出されるように設定されている。
【００４６】
よって、５００円は、通常の貸し出し個数である規定貸出単位数である。５００円以外の単位は、全て５００円より貸し出し個数が少なく設定された特別貸出単位数である。そして、先読み当否判定部１５０による大当たり判定の結果、保留球乱数の中に大当たりが含まれている場合において、その大当たりに係る保留球乱数が保留球乱数記憶部１１５に１番目に記憶されている場合には、１回の貸出ボタン７１の操作で１００円（２５個）分の遊技球が貸し出され、２番目に記憶されている場合には２００円（５０個）分の遊技球が貸し出され、３番目に記憶されている場合には３００円（７５個）分の遊技球が貸し出され、４番目に記憶されている場合には４００円（１００個）分の遊技球が貸し出されるように特別貸出単位数のそれぞれと大当たりに係る保留球乱数が保留球乱数記憶部１１５に記憶されている順番とが対応づけられている。これら１００円、２００円、３００円、４００円はそれぞれ互いに貸し出し個数が異なる保留順特別貸出単位数である。
【００４７】
貸出要求コマンド送信部８２は、上記した貸出単位決定部８１が決定した貸出単位数（規定貸出単位数である５００円、保留順特別貸出単位数である４００円、３００円、２００円、１００円の何れか）に基づいたコマンドを生成してＣＲユニット３００に貸出要求コマンドとして送信するためのものである。
【００４８】
賞球払出装置制御部８３は、ＣＲユニットから入力された貸出指令コマンドに従って、所定個数の遊技球を払い出すように賞球払出装置１４の作動を制御するほか、始動入賞口３７、一般入賞口３８および大入賞口４２に遊技球が入賞した場合にも所定個数の賞球を払い出すように賞球払出装置１４の作動を制御している。
【００４９】
この賞球払出装置１４は、遊技球を１個ずつ保持する切欠きが形成されたスプロケット（図示せず）と、このスプロケットを回転させるモータ（図示せず）とを備えて構成されている。そして、モータの回転を制御することにより、必要な数だけ賞球を払い出すことができるようになっている。
【００５０】
発射制御処理部１３は、ハンドル７の回動量に応じて、発射装置９に対する作動の制御を行う装置である。より具体的に言うと、発射装置９に対して通電させたり、通電を停止したり、あるいは、通電電流を変化させるといった制御処理を行う。なお、この発射制御処理部１３は、払出制御処理部１２ｅと接続されており、ＣＲユニットが接続されていない場合に発射停止信号が受信されるようになっている。
【００５１】
次に、ＣＲユニット３００は、ＣＲユニットの作動を制御するためのＣＲユニット制御部３４０と、ＩＣカードの読み込みと書き込みを行うためのＩＣカードリーダライタ３３０と、を備えている。このＣＲユニット３００は、払出制御処理部１２ｅと電気的に接続されており、貸出ボタン７１を押下したことを契機に生成された貸出要求コマンドがＣＲユニット制御部３４０に入力されると、ＣＲユニット制御部３４０は、この貸出要求コマンドをそのまま貸出指令コマンドとして払出制御処理部１２ｅに送信する。つまり、このＣＲユニット制御部３４０は、払出制御処理部１２ｅからのコマンドを中継する役割を果たしているのである。
【００５２】
ＩＣカードリーダライタ３３０は、カード挿入口３１０に挿入されたＩＣカードの情報を読み取ると共に、貸出ボタン７１が押下された場合には、貸出要求コマンドに従った貸出単位数だけＩＣカードに記憶された金額から差し引いた残りの金額を新たに書き込む。例えば、ＩＣカードに５０００円分の金額が記憶されていた場合に、１回貸出ボタン７１を押下すると、規定貸出単位数である５００円が差し引かれて、４５００円が新たな金額としてＩＣカードに書き込まれるようになっている。なお、カード挿入口３１０に挿入されたＩＣカードは、返却ボタン７２を押下すると、そのカード返却コマンドが払出制御処理部１２ｅを経由してＣＲユニット３００に入力され、その後直ちに返却される。
【００５３】
次に、上記したパチンコ機Ｐの遊技球の貸出処理の手順について図６を参照しながら説明する。まず、貸出ボタン７１が押下されたか否かを判断する（ステップＳ１０）。貸出ボタン７１が押下された場合（ステップＳ１０でＹｅｓ）には、次に先読みコマンド記憶部８０に大当たりコマンドが記憶されているか否かを判断する（ステップＳ１１）。大当たりコマンドが記憶されている場合（ステップＳ１１でＹｅｓ）の場合には、貸出単位決定処理が行われる（ステップＳ１２）。具体的には、貸出単位決定部８１が、先読みコマンド記憶部８０に記憶されている大当たりコマンドが保留球乱数として何番目に記憶されているものであるかを判断し、１番目であれば１００円（２５個）、２番目であれば２００円（５０個）、３番目であれば３００円（７５個）、４番目であれば４００円（１００個）を貸出単位数としてセットして次のステップＳ１４に進む。一方、ステップＳ１１でＮｏの場合には、ステップＳ１３にて通常の貸出単位数である５００円（１２５個）にセットしてステップＳ１４に進む。
【００５４】
次いで、ステップＳ１２またはステップＳ１３で決定した貸出単位数に従って貸出要求コマンドを生成する処理を行う（ステップＳ１４）。次いで、このステップＳ１４で生成されたコマンドを貸出要求コマンド送信部８２がＣＲユニット３００に送信する（ステップＳ１５）。次に、貸出指令コマンドをＣＲユニット３００から受信したか否かを判断する（ステップＳ１６）。このステップＳ１６でＹｅｓの場合には、払出制御処理部１２ｅは、賞球払出装置１４を作動させて、所定個数の遊技球を払い出す（貸し出す）。なお、ステップＳ１０でＮｏの場合、およびステップＳ１６でＮｏの場合には、遊技球の貸出処理は終了する。
【００５５】
以上、説明したように、本実施形態に係るパチンコ機によれば、保留球乱数の中に大当たりがある場合には、貸出ボタン７１を操作しても、通常より少ない個数の遊技球しか貸し出されないため、余分な遊技球の貸し出しを防止できる。加えて、貸し出される遊技球が少ないと大当たりであることが予測できるので、新たな大当たりの報知としても面白いものとなる。しかも、貸し出される遊技球の個数によって保留球乱数の何番目が大当たりであるかが予測できるので、遊技の趣向性が向上することとなる。
【００５６】
次に、図４に示した賞球払出／遊技球貸出に関する装置Ｕの別の態様例について図７を参照しながら説明するが、この別の態様例は、図５に示す払出制御処理部１２ｅの構成のうち、先読みコマンド記憶部８０と貸出単位決定部８１と貸出要求コマンド送信部８２に相当する構成がＣＲユニット３００側に設けられた構成となっている点に大きな特徴がある。即ち、別の態様例に係る払出制御処理部５１２ｅは、主制御処理部１１と電気的に接続され、始動入賞口３７、一般入賞口３８および大入賞口４２に遊技球が入賞した場合に主制御処理部１１からの賞球払出コマンドを受けて、賞球払出装置１４が所定個数の賞球を払い出すようにその作動を制御するための賞球払出装置制御部５８３を備えている。この賞球払出装置制御部５８３は、さらに後述する貸出指令コマンドをＣＲユニット（遊技球貸出機）５００から受け取ると、その貸出指令コマンドに従って賞球払出装置１４から所定個数の遊技球を払い出す（貸し出す）ように賞球払出装置１４の作動を制御している。
【００５７】
また、主制御処理部５１２ｅは、貸出ボタン７１が押下された場合には、その押下信号を貸出要求コマンドとしてＣＲユニット５００に送信し、返却ボタン７２が押下された場合には、その押下信号をカード返却コマンドとしてＣＲユニット５００に送信している。
【００５８】
次に、別の態様例に係るＣＲユニット（遊技球貸出機）５００について説明する。ＣＲユニット５００は、ＣＲユニットの作動を制御するためのＣＲユニット制御部５４０と、ＩＣカードの読み込みと書き込みを行うためのＩＣカードリーダライタ３３０と、主制御処理部１１から入力された先読みコマンドを記憶するための先読みコマンド記憶部５８０と、を備えて構成されている。なお、このＣＲユニット５００は、図１に示すＣＲユニット３００と外観構成は同じであり、前面にカード挿入口３１０と表示部３２０が設けられている。
【００５９】
ＩＣカードリーダライタ５３０は、カード挿入口３１０（図１参照）に挿入されたＩＣカードの情報を読み取ると共に、貸出ボタン７１が押下された場合には、貸出指令コマンドに従った貸出単位数だけＩＣカードに記憶された金額から差し引いた残りの金額を新たに書き込む。例えば、ＩＣカードに５０００円分の金額が記憶されていた場合に、１回貸出ボタン７１を押下すると、規定貸出単位数である５００円が差し引かれて、４５００円が新たな金額としてＩＣカードに書き込まれるようになっている。なお、カード挿入口３１０に挿入されたＩＣカードは、返却ボタン７２を押下すると、そのカード返却コマンドが払出制御処理部５１２ｅを経由してＣＲユニット５００に入力され、その後直ちに返却される。
【００６０】
先読みコマンド記憶部５８０は、先読み当否判定部１５０が保留球乱数に対して行った大当たり判定の結果のコマンド（大当たりコマンドまたはハズレコマンド）が入力されると、そのコマンドを保留球乱数に基づく遊技が開始するまで記憶するためのものである。
【００６１】
ＣＲユニット制御部５４０は、貸出ボタン７１からの操作信号１回につき貸し出す遊技球の個数を決定するための貸出単位決定部（貸出単位決定手段）５８１と、この貸出単位決定部５８１の決定に基づいて生成された貸出指令コマンドをパチンコ機Ｐの払出制御処理部５１２ｅに対して送信する貸出指令コマンド送信部（貸出指令コマンド送信手段）５８２と、を備えて構成されている。
【００６２】
貸出単位決定部５８１は、１回の貸出ボタン７１の操作信号（貸出要求コマンド）の入力に基づき、貸し出す遊技球の個数の単位を１００円、２００円、３００円、４００円、５００円の中から決定するためのものである。ここで、別の態様例に係るＣＲユニット５００は、遊技球１個が４円で貸し出されるように設定されているため、１００円だと２５個、２００円だと５０個、３００円だと７５個、４００円だと１００個、５００円だと１２５個を１単位として貸し出しすることとなる。そして、別の態様例に係るＣＲユニット５００は、通常は１回の貸出ボタン７１の操作で５００円の遊技球（即ち、１２５個）が貸し出されるように設定されている。
【００６３】
よって、この５００円は、通常の貸し出し個数である規定貸出単位数である。５００円以外の単位は、全て５００円より貸し出し個数が少なく設定された特別貸出単位数である。そして、先読み当否判定部１５０による大当たり判定の結果、保留球乱数の中に大当たりが含まれている場合において、その大当たりに係る保留球乱数が保留球乱数記憶部１１５に１番目に記憶されている場合には、１回の貸出ボタン７１の操作で１００円（２５個）分の遊技球が貸し出され、２番目に記憶されている場合には２００円（５０個）分の遊技球が貸し出され、３番目に記憶されている場合には３００円（７５個）分の遊技球が貸し出され、４番目に記憶されている場合には４００円（１００個）分の遊技球が貸し出されるように特別貸出単位数のそれぞれと大当たりに係る保留球乱数が保留球乱数記憶部１１５に記憶されている順番とが対応づけられている。これら１００円、２００円、３００円、４００円はそれぞれ互いに貸し出し個数が異なる保留順特別貸出単位数である。
【００６４】
貸出指令コマンド送信部５８２は、上記した貸出単位決定部５８１が決定した貸出単位数（規定貸出単位数である５００円、保留順特別貸出単位数である４００円、３００円、２００円、１００円の何れか）に基づいたコマンドを生成してパチンコ機Ｐの賞球払出装置制御部５８３に貸出指令コマンドとして送信するためのものである。
【００６５】
次に、上記したＣＲユニット５００の遊技球の貸出処理の手順について図８を参照しながら説明する。まず、貸出要求コマンドは入力されたか（貸出ボタン７１が押下されたか）否かを判断する（ステップＳ５１０）。貸出要求コマンドが入力されている場合（ステップＳ５１０でＹｅｓ）には、先読みコマンド記憶部５８０に記憶されているコマンドに大当たりコマンドがあるか否かを確認する（ステップＳ５１１）。大当たりコマンドが記憶されている場合（ステップＳ５１１でＹｅｓ）の場合には、貸出単位決定処理が行われる（ステップＳ５１２）。具体的には、貸出単位決定部５８１が、先読みコマンド記憶部５８０に記憶されている大当たりコマンドが保留球乱数として何番目に記憶されているものであるかを判断し、１番目であれば１００円（２５個）、２番目であれば２００円（５０個）、３番目であれば３００円（７５個）、４番目であれば４００円（１００個）を貸出単位数としてセットして次のステップＳ５１４に進む。一方、ステップＳ５１１でＮｏの場合には、ステップＳ５１３にて通常の貸出単位数である５００円（１２５個）にセットしてステップＳ５１４に進む。
【００６６】
次いで、ステップＳ５１２またはステップＳ５１３で決定した貸出単位数に従って貸出指令コマンドを生成する処理を行う（ステップＳ５１４）。次いで、このステップＳ５１４で生成されたコマンドを貸出指令コマンド送信部５８２がパチンコ機Ｐの払出制御処理部５１２ｅに送信する（ステップＳ５１５）。この貸出指令コマンド送信部５８２からの貸出指令コマンドを受けたパチンコ機Ｐは、賞球払出装置１４を作動させて所定個数の遊技球を遊技者に払い出す（貸し出す）こととなる。なお、ステップＳ５１０でＮｏの場合は、遊技球の貸出処理は終了する。
【００６７】
以上、説明したように、別の態様例に係るＣＲユニット（遊技球貸出機）５００によれば、保留球乱数の中に大当たりがある場合には、パチンコ機に設けられた貸出ボタン７１を操作しても、通常より少ない個数の遊技球を貸し出す旨のコマンドしか生成しないため、余分な遊技球の貸し出しを防止できる。加えて、貸し出される遊技球が少ないと大当たりであることが予測できるので、新たな大当たりの報知としても面白いものとなる。しかも、貸し出される遊技球の個数によって保留球乱数の何番目が大当たりであるかが予測できるので、遊技の趣向性が向上することとなる。
【符号の説明】
【００６８】
３  遊技盤
１４  賞球払出装置（遊技球払出装置）
３１  遊技領域
３７  始動入賞口（始動口）
７１  貸出ボタン
８０，５８０  先読みコマンド記憶部
８１，５８１  貸出単位決定部（貸出単位決定手段）
８２  貸出要求コマンド送信部（貸出要求コマンド送信手段）
１１０  特別図柄抽選部（電子抽選手段）
１１５  保留球乱数記憶部
１５０  先読み当否判定部（先読み当否判定手段）
１６０  大当たり遊技制御部（大当たり遊技制御手段）
３００，５００  ＣＲユニット（遊技球貸出機）
５８２  貸出指令コマンド送信部（貸出指令コマンド送信手段）
Ｐ  パチンコ機
【図１】
2011055957.tif 000003
【図２】
2011055957.tif 000004
【図３】
2011055957.tif 000005
【図４】
2011055957.tif 000006
【図５】
2011055957.tif 000007
【図６】
2011055957.tif 000008
【図７】
2011055957.tif 000009
【図８】
2011055957.tif 000010